(57)【要約】【課題】  より紙に近い視認性を得ることができ、コントラストの高い画像を表示することができる画像表示媒体を提供する。【解決手段】  この画像表示媒体１は、所定の開口率で複数の開口が形成され、透明性を有するＩＴＯ等の透明導電膜からなり、縦方向に延びる複数のストライプ状透明電極２１を表面基板２内に形成し、横方向に延びる複数のストライプ状電極３１を背面基板３内に形成し、電極２１，３１への電圧印加により形成された電界に応じて表面基板２と背面基板３との間を移動する粒子６Ａ，６Ｂを各セル４に封入したものである。ストライプ状透明電極２１に複数の開口が形成されているので、粒子６Ａ，６Ｂからの反射光量が増す。【選択図】      図１
2005234249.tif 000002
【特許請求の範囲】
【請求項１】
所定の開口率で複数の開口が形成された透明導電材料からなる第１の電極と、
前記第１の電極に対向配置された第２の電極と、
前記第１および第２の電極への電圧印加により形成された電界に応じて前記第１および第２の電極間を移動し、前記第１の電極を介して入射光を反射させる帯電性粒子とを備えたことを特徴とする画像表示媒体。
【請求項２】
前記帯電性粒子は、白色の前記入射光を反射させる白色帯電性粒子を含むことを特徴とする請求項１記載の画像表示媒体。
【請求項３】
前記帯電性粒子は、有彩色の前記入射光を反射させる有彩色帯電性粒子を含むことを特徴とする請求項１記載の画像表示媒体。
【請求項４】
前記第１の電極は、帯状電極であり、
前記第１の電極に形成された前記複数の開口は、前記帯状電極の長手方向に沿う細長形状を有することを特徴とする請求項１記載の画像表示媒体。
【請求項５】
前記第１の電極は、帯状電極であり、
前記第１の電極に形成された前記複数の開口は、前記帯状電極の短手方向に沿う細長形状を有し、前記帯状電極の長手方向に配置されたことを特徴とする請求項１記載の画像表示媒体。
【請求項６】
前記第１の電極は、帯状電極であり、
前記第１の電極に形成された前記複数の開口は、前記帯状電極にマトリックス状に配置されたことを特徴とする請求項１記載の画像表示媒体。
【請求項７】
前記第１の電極は、画素電極であり、
前記第１の電極に形成された前記複数の開口は、前記画素電極にマトリックス状に配置されたことを特徴とする請求項１記載の画像表示媒体。
【請求項８】
前記第１の電極に形成された前記複数の開口は、スリットにより形成されたことを特徴とする請求項１記載の画像表示媒体。
【請求項９】
前記第１の電極に形成された前記複数の開口は、切欠きにより形成されたことを特徴とする請求項１記載の画像表示媒体。
【発明の詳細な説明】
【技術分野】
【０００１】
本発明は、繰返し書き換えが可能な画像表示媒体に関し、特に、より紙に近い視認性を得ることができ、コントラストの高い画像を表示することができる画像表示媒体に関する。
【背景技術】
【０００２】
書き換えが可能な従来の画像表示媒体として、トナーを用いたものが知られている（例えば、特許文献１参照。）
【０００３】
図１２は、その画像表示媒体の模式図を示す。この画像表示媒体は、表面基板部材２０上に形成されたインジウム錫酸化物（ＩＴＯ）からなる行電極２１‘を誘電体膜２２により保護した透光性を有する表面基板２と、背面基板部材３０上に形成された列電極３１’を誘電体膜３２により保護した背面基板３と、表面基板２と背面基板３とを対向させて保持するとともに、基板２，３間の空間を基板２，３と平行な方向に区画して複数のセル４を形成する区画部材５と、各セル４に収容され、負に帯電した白色粒子６Ａ、およびトナーからなる正に帯電した黒色粒子６Ｂと、区画部材５の周囲を封止する封止部材７とを備える。
【０００４】
このように構成された画像表示媒体において、行電極２１‘と列電極３１’との間に直流電圧を印加すると、電極２１‘，３１’間に電界が形成され、電界の向きに応じて白色粒子６Ａおよび黒色粒子６Ｂが表面基板２あるいは背面基板３側へ移動し、表面基板３の内側に付着した白色粒子６Ａと黒色粒子６Ｂとのコントラストにより表面基板３を通して画像表示を行う。この構成によれば、電気泳動や磁気泳動を用いた画像表示媒体のように、液体を必要としないため、表示切替速度が速く、コントラストの高い画像を得ることができる。
【０００５】
【特許文献１】特開２００３−１０７５３３号公報（［００１５］〜［００４４］、図１〜図６）
【発明の開示】
【発明が解決しようとする課題】
【０００６】
しかし、従来の画像表示媒体によると、表示側に設けられた表面基板２の電極２１‘が外光による入射光、および粒子からの反射光を吸収するため、光量損失により反射率が低下するという問題がある。特に、白色粒子からの反射光量の低下により、紙に近い視認性が得られない。また、白色以外の着色粒子を用いた場合には、色の明度や彩度が悪化したり、色相が変化したりする。
【０００７】
従って、本発明の目的は、コントラストの高い画像を表示することができる画像表示媒体を提供することにある。
【０００８】
また、本発明の他の目的は、より紙に近い視認性を得ることができる画像表示媒体を提供することにある。
【課題を解決するための手段】
【０００９】
本の発明は、上記目的を達成するため、所定の開口率で複数の開口が形成された透明性を有する第１の電極と、前記第１の電極に対向配置された第２の電極と、前記第１および第２の電極への電圧印加により形成された電界に応じて前記第１および第２の電極間を移動し、前記第１の電極を介して入射光を反射させる帯電性粒子とを備えたことを特徴とする画像表示媒体を提供する。
【００１０】
前記帯電性粒子は、白色の前記入射光を反射させる白色帯電性粒子を含むものとしてもよい。
【発明の効果】
【００１１】
本発明の画像表示媒体によれば、第１の電極に複数の開口が形成されているので、帯電性粒子からの反射光量が増し、コントラストの高い画像を表示することができる。
また、帯電性粒子として、白色帯電性粒子を含ませることにより、より紙に近い視認性を得ることができる。
【発明を実施するための最良の形態】
【００１２】
［第１の実施の形態］（画像表示媒体の全体の構成）
図１は、本発明の第１の実施の形態に係る画像表示媒体を示し、（ａ）は断面図、（ｂ）は（ａ）のＡ−Ａ線断面図である。この画像表示媒体１は、第１の基板としての透光性を有する表面基板２と、第２の基板としての背面基板３と、表面基板２と背面基板３とを対向させて保持するとともに、基板２，３間の空間を基板２，３に平行な方向に区画してｍ×ｎ個のセル４を形成する熱硬化性樹脂等からなる区画部材５と、セル４に封入された色および帯電特性が異なる白色粒子６Ａおよび黒色粒子６Ｂからなる２種類の粒子群と、区画部材５の外周を封止する封止部材７とを有して構成されている。
【００１３】
なお、図１（ｂ）は、粒子６Ａ，６Ｂの図示を省略している。また、同図は、セル数を８×８＝１６個として図示したが、この数に限定されない。また、本実施の形態では、１つのセル４が１つの画素に対応するが、これに限定されず、1つのセル４で複数の画素を構成してもよいし、複数のセル４で１つの画素を構成してもよい。
【００１４】
（画像表示媒体の各部の構成）
表面基板２は、透明ガラス基板等からなる表面基板部材２０と、表面基板部材２０上に所定の開口率で複数の開口が形成された透明性を有するインジウム錫酸化物（ＩＴＯ）等の透明導電膜からなり、縦方向に延びる複数のストライプ状透明電極２１と、ストライプ状透明電極２１を保護するとともに粒子６Ａ，６Ｂの帯電特性を安定化させるポリカーボネート等からなる誘電体膜２２とを積層して構成されている。
【００１５】
表面基板部材２０には、上記透明ガラス基板の他に、透光性を有する透明プラスチック基板，ポリカーボネート樹脂，アクリル樹脂，ポリイミド樹脂，ポリエステル樹脂等を用いることができる。
【００１６】
ストライプ状透明電極２１には、上記ＩＴＯの他に、透明性を有する、インジリウム，錫，カドミニウム，アンチモン、亜鉛等の酸化物、これらの複合酸化物、金，銀，銅，炭素，ニッケル等の単層膜、混合膜、あるいは複合膜を蒸着法あるいはスパッタリング法で１００〜２０００オングストロームの厚さとしたもの、あるいはポリピロール，ポリチオフェン等の有機導電性材料等を用いることができる。
【００１７】
誘電体膜２２には、セル４に封入する粒子６Ａ，６Ｂの帯電特性に応じて、ポリカーボネート、ポリエステル、ポリイミド、エポキシ、ポリイソシアネート、ポリアミド、ポリビニルアルコール、ポリブタジエン、ポリメチルメタアクリレート（ＰＭＭＡ）、共重合ナイロン、紫外硬化アクリル樹脂、非晶質テフロン（Ｒ）等を用いることができる。誘電体膜２２を構成する絶縁性材料中に電荷輸送物質を含有させたものも用いることができる。電荷輸送物質を含有させることにより、粒子６Ａ，６Ｂへの電荷注入による粒子帯電性の向上や、粒子６Ａ，６Ｂの帯電量が極度に大きくなった場合に粒子６Ａ，６Ｂの電荷を漏洩させ、粒子６Ａ，６Ｂの帯電量を安定させるなどの効果を得ることができる。
【００１８】
背面基板３は、エポキシ樹脂等からなる背面基板部材３０と、背面基板部材３０上に形成された銅等からなり、横方向に延びる複数のストライプ状電極３１と、ストライプ状電極３１を保護するとともに粒子６Ａ，６Ｂの帯電特性を安定化させるポリカーボネート等からなる誘電体膜３２とを積層して構成されている。なお、背面基板部材３０として、表面基板２の表面基板部材２０と同様の基板を用いてもよい。また、誘電体膜３２には、表面基板３の誘電体膜２２と同様に、セル４に封入する粒子６Ａ，６Ｂの帯電特性に応じた材料を用いることができる。
【００１９】
区画部材５には、上記熱硬化性樹脂の他に、熱可塑性樹脂、電子線硬化樹脂、光硬化性樹脂、ゴム等の絶縁性材料を用いることができる。
【００２０】
白色粒子６Ａと黒色粒子６Ｂは、例えば、相互の摩擦による摩擦帯電により、互いに異なる極性に帯電する。ここでは、白色粒子６Ａは負に帯電しており、黒色粒子６Ｂは正に帯電している。例えば、誘電体膜２２，３２がポリカーボネート樹脂からなる場合、白色粒子６Ａの平均帯電量は−１６ｆＣ、黒色粒子６Ｂの平均帯電量は＋１６ｆＣである。
【００２１】
図２は、ストライプ状透明電極２１の詳細を示し、（ａ）は部分平面図、（ｂ）は（ａ）のＢ部拡大図、（ｃ）は（ｂ）において白色粒子６Ａがストライプ状透明電極２１側に付着した状態を表面側から見た図である。ストライプ状透明電極２１は、長手方向に延びる複数のストライプ状透明電極素子２１０（２１０ａ，２１０ｂ，２１０ｃ，２１０ｄ）を一定の間隔（開口）を設けて配置している。ストライプ状透明電極２１の幅をｗ、各素子２１０の間隔をｄとすると、同図の場合の開口率は、（３ｄ／ｗ）×１００％となる。白色粒子６Ａがストライプ状透明電極素子２１側に付着した場合は、図２（ｃ）に示すように、透明電極素子２１０の直上および導電膜が存在しない領域にも粒子６Ａが付着するので、均一な粒子層が得られる。
【００２２】
（白色粒子の反射の様子）
図３（ａ）は、第１の実施の形態のストライプ状透明電極２１における入射角が高い場合の白色粒子６Ａの反射の様子を示す。同図中、(1)で示す光は、表面基板２に入射し、ストライプ状透明電極２１の透明電極素子２１０を通過して白色粒子６Ａに到達した後、白色粒子６Ａで反射され、この反射光が再びストライプ状透明電極２１を通過して外部へ出射する。
【００２３】
同図中、(2)で示す光は、透明電極素子２１０が存在しない部分を通過して白色粒子６Ａに到達した後、白色粒子６Ａで反射され、この反射光が再び透明電極素子２１０の存在しない部分を通過して外部へ出射する。
【００２４】
同図中、(3)で示す光は、透明電極素子２１０が存在しない部分を通過して白色粒子６Ａに到達した後、白色粒子６Ａで反射され、この反射光が透明電極素子２１０を通過して外部へ出射する。
【００２５】
同図中、(4)で示す光は、(3)で示した光とは逆に、透明電極素子２１０を通過して白色粒子６Ａに到達した後、白色粒子６Ａで反射され、この反射光が透明電極素子２１０が存在しない部分を通過して外部へ出射する。
【００２６】
従って、一部の入射光が透明電極素子２１０を２回通過し、他の入射光は、透明電極素子２１０を１回通過するか、あるいはまったく通過せずに透明電極素子２１０の存在しない部分を通過するので、全体として光量損失が少なくなる。なお、(1)〜(4)で示す光以外に、白色粒子６Ａ表面で反射した反射光は、表面基板２を通過して外部へ反射される。この場合も反射光の一部は、透明電極素子２１０の存在しない部分を通過するので、光量損失が少なくなる。
【００２７】
図３（ｂ）は、図３（ａ）と入射角が等しい場合の従来例を示す。同図に示すストライプ状透明電極２１は、開口を有していないものであり、同図中、(1)〜(4)で示した光は、入射する時も、反射する時もストライプ状透明電極２１を通過する。すなわち、入射光のすべてが開口を有していないストライプ状透明電極２１を２回通過するため、その分反射量が少なくなる。
【００２８】
図３（ｃ）は、第１の実施の形態のストライプ状透明電極２１における入射角度が（ａ）よりも低い場合を示す。入射角度が低い場合も、入射光の挙動は、図３（ａ）と同様であるので、図３（ａ）で説明したのと同様に光量損失が少なくなる。
【００２９】
（画像表示媒体の製造方法）
次に、この第１の実施の形態に係る画像表示媒体１の製造方法の一例を説明する。
【００３０】
（１）各部の作製
表面基板２は、例えば、１．１ｍｍ厚さの透明ガラスからなる表面基板部材２０上にＩＴＯ膜をスパッタリングし、これを所定のパターンにエッチングして透明電極素子２１０からなる複数のストライプ状透明電極２１を形成し、これらのストライプ状透明電極２１上にモノクロロベンゼン４５重量部に対してポリカーボネート樹脂５重量部を溶解させた溶液をディップコートし、乾燥して５μｍ厚さのポリカーボネート膜からなる誘電体膜２２を形成することにより、作製する。
【００３１】
表面基板２に設けられたストライプ状透明電極２１は、１本が、例えば、２５本の２０μｍ幅の透明電極素子２１０を２０μｍの間隔を設けて形成され、幅約１０００μｍを有する。
【００３２】
背面基板３は、例えば、５ｍｍ厚さのエポキシ基板からなる背面基板部材３０上に銅膜を貼り合せ、これを所定のパターンにエッチングして複数のストライプ状電極３１を形成し、これらのストライプ状電極３１上にモノクロロベンゼン４５重量部に対してポリカーボネート樹脂５重量部を溶解させた溶液をディップコートし、乾燥して５μｍ厚さのポリカーボネート膜からなる誘電体膜３２を形成することにより、作製する。
【００３３】
区画部材５は、例えば、背面基板３の誘電体膜３２上に熱硬化性樹脂からなるインクをスクリーン印刷し、オーブン中で１１０℃に加熱して焼成を行う処理を、所望の高さになるまで複数回繰り返すことにより、背面基板３上に作製する。
【００３４】
白色粒子６Ａは、例えば、体積平均粒径２０μｍの酸化チタン含有架橋ポリメチルメタクリレートの球状微粒子（積水化成品工業（株）性テクポリマーＭＢＸ−２０−ホワイトを分級）１００重量部にイソプロピルトリメトキシシラン処理したチタニアの微粉末０．４重量部を外添して得る。シラン処理されたチタニアの微粉末は、粒子の帯電性を適性レベルに抑制し、粒子の流動性を高いレベル保つ作用がある。シラン処理されたチタニアの微粉末の添加量は、白色粒子６Ａの径と微粉末の径とにより適宜調整される。添加量が多過ぎると白色粒子６Ａの表面から遊離する微粉末が発生し、これらが黒色粒子６Ｂの表面に付着すると、黒色粒子６Ｂの帯電極性が白色粒子６Ａの帯電極性と同様となり、黒色粒子６Ｂが白色粒子６Ａと同方向へ移動するので好ましくない。粒子１００重量部に対するチタニアの量は、好ましくは０．０５〜１．０重量部、より好ましくは０．１〜０．５重量部である。
【００３５】
黒色粒子６Ｂは、例えば、体積平均粒径２０μｍのカーボン含有架橋ポリメチルメタクリレートの球状微粒子（積水化成品工業（株）製テクポリマーＭＢＸ−２０−ブラックを分級）を用いる。
【００３６】
（２）各部の組立て
上記のようにして作製された表面基板２、区画部材５を有する背面基板３、および粒子６Ａ，６Ｂの組立てを説明する。
【００３７】
まず、摩擦帯電等によって帯電した白色粒子６Ａと、この白色粒子６Ａと反対の極性に帯電した黒色粒子６Ｂを所定の重量比、例えば、２対１の割合で混合し、これらを背面基板３上に形成された区画部材５の開口部にスクリーンを通して振るい落とす。区画部材５の上面に付着した白色粒子６Ａおよび黒色粒子６Ｂは、シリコンゴム製ブレードで除去する。
【００３８】
次に、区画部材５の上面、あるいは区画部材５の上面に接する表面基板３の面に接着剤を塗布し、表面基板２の誘電体膜２２側と背面基板３の誘電体膜３２側とを重ね合わせ、クランプあるいはクリップにより固定する。接着剤としては、例えば、エポキシ樹脂，キシレン樹脂等の熱硬化性樹脂、エポキシアクリレート，ウレタンアクリレート等のＵＶ硬化型樹脂、ポリプロピレン，ポリエチレン等の熱可塑性樹脂、アクリロニトリル成分重合体，ビニルアルコール成分重合体等の耐透気性樹脂などを用いることができる。
【００３９】
次に、区画部材５の外周を封止部材７により封止する。封止部材７としては、区画部材５と表面基板２とを接着する接着剤と同様の熱硬化性樹脂、ＵＶ硬化型樹脂、熱可塑性樹脂、耐透気性樹脂等を用いることができる。
【００４０】
（画像表示媒体の表示動作）
次に、この第１の実施の形態に係る画像表示媒体１の表示動作を説明する。
【００４１】
（１）１つのセル４の表示動作
図４は、画像表示媒体１の１つのセル４の表示動作を示す。電圧印加部８から表面基板２のストライプ状透明電極２１に画像電圧Ｖdwとして正のパルス電圧（例えば＋４０Ｖ）を印加し、背面基板３のストライプ状電極３１に選択電圧Ｖswとして負のパルス電圧（例えば−４０Ｖ）を印加すると、図４（ａ）に示すように、白色粒子６Ａは負に帯電しているため、表面基板２側に移動し、黒色粒子６Ｂは正に帯電しているため、背面基板３側に移動する。
【００４２】
図４（ａ）の状態において、ストライプ状透明電極２１およびストライプ状電極３１への電圧の印加を停止すると、図４（ｂ）に示すように、電圧の印加が停止されても、誘電体膜２２，３２により電界が維持されるため、白色粒子６Ａは表面基板２側に保持され、黒色粒子６Ｂは背面基板３側に保持される。
【００４３】
次に、電圧印加部８からストライプ状透明電極２１に画像電圧Ｖdbとして負のパルス電圧（例えば−４０Ｖ）を印加し、ストライプ状電極３１に選択電圧Ｖsbとして正のパルス電圧（例えば＋４０Ｖ）を印加すると、図４（ｃ）に示すように、白色粒子６Ａは負に帯電しているため、背面基板３側に移動し、黒色粒子６Ｂは正に帯電しているため、表面基板２側に移動する。
【００４４】
図４（ｃ）の状態において、ストライプ状透明電極２１およびストライプ状電極３１への電圧の印加を停止すると、図４（ｄ）に示すように、電圧の印加が停止されても、誘電体膜２２，３２により電界が維持されるため、白色粒子６Ａは背面基板３側に保持され、黒色粒子６Ｂは表面基板２側に保持される。
【００４５】
本実施の形態で用いる粒子６Ａ，６Ｂの形状は真球であるため、粒子６Ａ，６Ｂ間の接触は点接触であり、粒子６Ａ，６Ｂと基板２，３内側表面との接触も点接触である。このため、粒子６Ａ，６Ｂ間および粒子６Ａ，６Ｂと基板２，３内側表面とのファンデルワールス力に基く付着力は小さい。従って、図４（ａ）および（ｃ）に示されたように、電極２１，３１間に電圧印加部８により直流電圧が印加されると、上下電極２１，３１間に電界強度分布が形成され、この電界強度分布曲線に沿って、帯電した白色粒子６Ａおよび黒色粒子６Ｂは、電極２１，３１間を飛翔し、基板２，３の内面に付着する。印加する電圧に応じて、白色粒子６Ａまたは黒色粒子６Ｂのいずれかが表面基板２に付着することにより、表面基板２を通して所望の粒子色が表示される。
【００４６】
（２）画像表示媒体１全体の表示動作
図５は、電圧印加部８を示す。この電圧印加部８は、ストライプ状透明電極２１に画像電圧Ｖdw，Ｖdbを印加する第１の駆動回路８０と、ストライプ状電極３１に選択電圧Ｖsw，Ｖsbを印加する第２の駆動回路８１と、各駆動回路８０，８１を制御する駆動制御回路８２とを備え、単純マトリックス駆動方式により駆動を行うものである。駆動制御回路８２は、画像信号に応じて各駆動回路８０，８１を制御すると、第１の駆動回路８０は、ストライプ状透明電極２１に画像電圧Ｖdwあるいは画像電圧Ｖdbを印加し、第２の駆動回路８１は、ストライプ状電極３１に選択電圧Ｖswあるいは選択電圧Ｖsbを印加する。白を表示する画素には、対応するストライプ状透明電極２１に画像電圧Ｖdwが印加され、対応するストライプ状電極３１に選択電圧Ｖswが印加される。また、黒を表示する画素には、対応するストライプ状透明電極２１に画像電圧Ｖdbが印加され、対応するストライプ状電極３１に選択電圧Ｖsbが印加される。
【００４７】
例えば、同図中、斜線で示す個所の第２行、第２列、および第２行、第４列の２つの画素ａ，ｂを黒表示する場合は、第２行のストライプ状電極３１に選択電圧Ｖsbとして正のパルス電圧（例えば＋４０Ｖ）を印加し、これに同期して第２列と第４列のストライプ状透明電極２１に画像電圧Ｖdbとして負のパルス電圧（例えば−４０Ｖ）を印加する。すると、これら２つの画素ａ，ｂに黒が表示される。同じくこれら２つの画素ａ，ｂを白表示する場合は、第２行のストライプ状電極３１に選択電圧Ｖswとして負のパルス電圧（例えば−４０Ｖ）を印加し、これに同期して第２列と第４列のストライプ状透明電極２１に画像電圧Ｖdwとして正のパルス電圧（例えば＋４０Ｖ）を印加する。すると、これら２つの画素ａ，ｂに白が表示される。このようにして画像表示媒体１に画像信号に応じた画像が表示される。
【００４８】
（第１の実施の形態の効果）
この第１の実施の形態によれば、表面基板２側に設けたストライプ状透明電極２１は、複数の透明電極素子２１０を一定の間隔を設けて配置しているので、開口率が増え、これにより、電極を構成する材料に起因する入射光と反射光の光吸収による光量の損失がなくなるので、粒子６Ａ，６Ｂからの反射光量が増し、コントラストの高い画像を表示することができる。また、白色粒子６Ａからの白色反射光量が向上して、白色の反射率が増大するので、より紙に近い視認性を得ることができる。また、白色、黒色以外の着色粒子を用いた場合には、その着色された色の反射率が増大し、色の明度および彩度が向上する。
【００４９】
［第２の実施の形態］
図６は、本発明の第２の実施の形態に係るストライプ状透明電極を示し、（ａ）は要部平面図、（ｂ）は（ａ）のＣ部拡大図、（ｃ）は（ｂ）のＤ部拡大図、（ｄ）は（ｃ）において白色粒子６Ａがストライプ状透明電極２１側に付着した状態を表面側から見た図である。第１の実施の形態では、ストライプ状透明電極２１は、長手方向に沿う透明電極素子を用いたが、この第２の実施の形態のストライプ状透明電極２１は、短手方向に延びる複数の透明電極素子２１１を長手方向に一定の間隔（開口）を設けて配置したもので、長手方向に一部接続されて導通性を保持したものである。この第２の実施の形態によれば、白色粒子６Ａがストライプ状透明電極素子２１側に付着した場合は、図２（ｄ）に示すように、透明電極素子２１１の直上および導電膜が存在しない領域にも粒子６Ａが付着するので、第１の実施の形態と同様に、均一な粒子量が得られる。また、入射光および反射光の一部がストライプ状透明電極２１に形成された開口を通過するため、粒子６Ａ，６Ｂからの反射光量を増大させることができる。
【００５０】
［第３の実施の形態］
図７は、本発明の第３の実施の形態に係るストライプ状透明電極を示す。第３の実施の形態のストライプ状透明電極２１は、マトリックス状に複数の開口２１ａを設けたものである。この第３の実施の形態によれば、入射光および反射光の一部がストライプ状透明電極２１に形成された開口２１ａを通過するため、粒子６Ａ，６Ｂからの反射光量を増大させることができる。
【００５１】
［第４の実施の形態］
図８は、本発明の第４の実施の形態に係るストライプ状透明電極を示す。この第４の実施の形態のストライプ状透明電極２１は、短手方向に長い複数のスリット２１ｂを長手方向に２列千鳥状となるように形成したものである。この第３の実施の形態によれば、入射光および反射光の一部がストライプ状透明電極２１に形成されたスリット２１ｂを通過するため、粒子６Ａ，６Ｂからの反射光量を増大させることができる。
【００５２】
［第５の実施の形態］
図９は、本発明の第５の実施の形態に係るストライプ状透明電極を示す。この第５の実施の形態のストライプ状透明電極２１は、長手方向に長い複数のスリット２１ｂを短手方向に形成したものである。この第５の実施の形態によれば、入射光および反射光の一部がストライプ状透明電極２１に形成されたスリット２１ｂを通過するため、粒子６Ａ，６Ｂからの反射光量を増大させることができる。
【００５３】
［第６の実施の形態］
図１０は、本発明の第６の実施の形態に係るストライプ状透明電極を示す。この第６の実施の形態のストライプ状透明電極２１は、千鳥状にスリット２１ｃを形成したものである。なお、同図中、９は画素の領域を示す。この第６の実施の形態によれば、入射光および反射光の一部がストライプ状透明電極２１に形成されたスリット２１ｃを通過するため、粒子６Ａ，６Ｂからの反射光量を増大させることができる。
【００５４】
［第７の実施の形態］
図１１は、本発明の第７の実施の形態に係るセグメント透明電極を示し、（ａ）は要部平面図、（ｂ）は（ａ）のＥ部拡大図、（ｃ）は（ｂ）において白色粒子６Ａが表面基板側に付着した状態を表面側から見た図である。この第７の実施の形態は、第１の実施の形態のストライプ状透明電極２１およびストライプ状電極３１の代わりに、セル４を介して表面基板２側にＩＴＯ等の透明導電膜からなるセグメント透明電極２３を配置し、背面基板３側にセグメント電極（図示せず）を配置し、アクティブマトリックス駆動方式により駆動されるものである。セグメント透明電極２３は、図７に示す第３の実施の形態で説明したのと同様に、マトリックス状に配列された複数の開口２３ａを形成したものである。この第７の実施の形態によれば、入射光および反射光の一部がセグメント透明電極２３に形成された開口２３ａを通過するため、粒子６Ａ，６Ｂからの反射光量を増大させることができる。
【実施例１】
【００５５】
次に、本発明の第１の実施の形態に対応する実施例１について説明する。表１は、開口を有する電極サンプルの明度（Ｌ’）、彩度（ｃ”）、色度（ｈ”）の測定結果を示す。
【表１】
2005234249.tif 000003
【００５６】
電極として開口率５０％のＩＴＯを用い、基板として透明ガラスを用いた。表１中、「白板」は、白色粒子に相当するものである。「白板上にガラス」は、白板上に透明ガラスを配置したもので、基板に白色粒子が付着した状態に相当するものである。「白板上にＩＴＯガラス全面」は、白板上にＩＴＯを全面に有する透明ガラスを配置したもので、従来例に相当するものである。「白板上に分割（１：１）ＩＴＯガラス」は、白板上に開口率５０％でＩＴＯを有する透明ガラスを配置したものである。
【００５７】
表１に示すように、ＩＴＯガラスよりも開口率５０％でITOを有する透明ガラスの方が、明度が大となり、彩度は原色に大変近い値を示し、色相もより原色の値に近づいている。
【００５８】
なお、本発明は、上記各実施の形態、上記各実施例に限定されず、その要旨を変更しない範囲内で種々変形実施が可能である。例えば、画像表示媒体がＲＧＢあるいはＣＭＹの３色を１画素としてカラー表示するものである場合、セルは画素を３色の領域に区画するものとして構成してもよい。
【図面の簡単な説明】
【００５９】
【図１】本発明の第１の実施の形態に係る画像表示媒体に関し、（ａ）は断面図、（ｂ）は（ａ）におけるＡ−Ａ線断面図である。
【図２】（ａ）は本発明の第１の実施の形態に係るストライプ状透明電極の要部平面図、（ｂ）は（ａ）のＢ部拡大図、（ｃ）は白色粒子の付着状態を示す平面図である。
【図３】（ａ）は本発明の第１の実施の形態に係るストライプ状透明電極の反射状態を示す図、（ｂ）は従来のストライプ状透明電極の反射状態を示す図、（ｃ）は（ａ）より入射角度が低い場合を示す図である。
【図４】（ａ）〜（ｄ）は本発明の第１の実施の形態に係る画像表示媒体の１つのセルの表示動作を説明するための断面図である。
【図５】本発明の第１の実施の形態に係る電圧印加部の構成図である。
【図６】本発明の第２の実施の形態に係るストライプ状透明電極を示し、（ａ）は要部平面図、（ｂ）は（ａ）のＣ部拡大図、（ｃ）は（ｂ）のＤ部拡大図、（ｄ）は（ｃ）において白色粒子がストライプ状透明電極側に付着した状態を表面側から見た図である。
【図７】本発明の第３の実施の形態に係るストライプ状透明電極の要部平面図である。
【図８】本発明の第４の実施の形態に係るストライプ状透明電極の要部平面図である。
【図９】本発明の第５の実施の形態に係るストライプ状透明電極の要部平面図である。
【図１０】本発明の第６の実施の形態に係るストライプ状透明電極の要部平面図である。
【図１１】本発明の第７の実施の形態に係るセグメント透明電極を示し、（ａ）は要部平面図、（ｂ）は（ａ）のＥ部拡大図、（ｃ）は（ｂ）において白色粒子が表面基板側に付着した状態を表面側から見た図である。
【図１２】従来の画像表示媒体の断面図である。
【符号の説明】
【００６０】
１  画像表示媒体
２  表面基板
３  背面基板
４  セル
５  区画部材
６Ａ  白色粒子
６Ｂ  黒色粒子
７  封止部材
８  電圧印加部
９  画素
２０  表面基板部材
２１  ストライプ状透明電極
２１ａ  開口
２１ｂ  スリット
２１ｃ  切欠き
２１‘  行電極
２２  誘電体膜
２３  セグメント透明電極
３０  背面基板部材
３１  ストライプ状電極
３１‘  列電極
３２  誘電体膜
３２ａ  凹部
８０  第１の電極駆動回路
８１  第２の電極駆動回路
８２  駆動制御部
２１０，２１０ａ〜２１０ｄ  透明電極素子
２１１  透明電極素子
【図１】
2005234249.tif 000004
【図２】
2005234249.tif 000005
【図３】
2005234249.tif 000006
【図４】
2005234249.tif 000007
【図５】
2005234249.tif 000008
【図６】
2005234249.tif 000009
【図７】
2005234249.tif 000010
【図８】
2005234249.tif 000011
【図９】
2005234249.tif 000012
【図１０】
2005234249.tif 000013
【図１１】
2005234249.tif 000014
【図１２】
2005234249.tif 000015